(57)【特許請求の範囲】
【請求項１】
電気掃除機を梱包箱内に収納する梱包装置において、段ボール製の平板に設けられた４つの折り目を折り込むことで、中央付近に平板の基部を有し、基部の一方には第四の折り目にて略垂直上方にＬ字状に曲がった上方折り曲げ部と、他方には第一、第二および第三の折り目にて三角形形状に折り曲げた構造を有する緩衝体とを備え、
前記三角形形状に折り曲げた構造は、前記段ボール製の平板に切り込み部と開口部を設け、前記開口部は、前記第一の折り目に掛かる位置に形成され、前記切り込み部は、前記第三の折り目と前記第四の折り目の間に形成され、前記段ボール製の平板を折り込み時に、前記切り込み部と前記開口部とを嵌合させることで構成し、
前記基部の上にホースを収納する構造とし、前記緩衝体を被包装物である掃除機本体の上に設置したことを特徴とする梱包装置。
【請求項２】
前記三角形形状に折り曲げた構造の三角形の頂部の垂直方向高さは、前記基部の上に収納された前記ホースの上端部よりも高い位置に設定したことを特徴とする請求項１に記載の梱包装置。
【請求項３】
前記三角形形状に折り曲げた構造の三角形の頂部は、収納時に梱包箱の天面のうち箱の内側の箇所に近接することを特徴とする請求項１〜２のいずれか１項に記載の梱包装置。
【請求項４】
前記梱包箱を補強する段ボール製の仕切り枠材と、前記仕切り枠材に設けた折り曲げ部とを備え、前記緩衝体は、前記仕切り枠材に設けた前記折り曲げ部と前記仕切り枠材との間で、かつ被梱包物である掃除機本体の上に配置したことを特徴とする請求項１〜３のいずれか１項に記載の梱包装置。
【発明の詳細な説明】
【技術分野】
【０００１】
本願発明は、電気掃除機等の被梱包物を収納する梱包装置に関する。
【背景技術】
【０００２】
従来、電気掃除機等の被梱包物を収納する梱包装置は、被梱包物を衝撃から保護するため、発泡材製の緩衝体を被梱包物と箱体との間に介在させる構成であった。
しかしながら、緩衝体を発泡材で形成すると、梱包装置が大きくなり、製造現場で発泡材を置くために、大きなスペースの確保が必要であったため、発泡材を使用することなく段ボール製の緩衝体で被梱包物を保護することができる梱包装置が一般化している。
【０００３】
しかし、従来の発泡材を使用することなく被梱包物を保護することができる梱包装置では、梱包箱を天面から落下させる等の衝撃が加わったときに、被梱包物の上方への移動を阻止するために、被梱包物の上部に緩衝体を配置している（例えば、特許文献１参照）。
【先行技術文献】
【特許文献】
【０００４】
【特許文献１】実開平６−２７６２７号公報
【発明の概要】
【発明が解決しようとする課題】
【０００５】
しかしながら、上記上緩衝体は、被梱包物上面に接する基部と、その基部に対して両端が略垂直に上方へ折り曲げられているため、被梱包物が重いときに、その重さに耐え切れず、被梱包物に接している基部が反ってしまうため、上緩衝体の上に配置しているホースに被梱包体の荷重がかかり、上緩衝体の上に配置しているホースが変形してしまうという課題があった。
【０００６】
本発明は、発泡材を使用することなく被梱包物を保護することができる梱包装置において、梱包箱を天面から落下させる等の衝撃が加わったときに前記被梱包物の上方への移動によるホースつぶれを防止できることを特徴とした梱包装置を提供することを目的とする。
【課題を解決するための手段】
【０００７】
上記従来の課題を解決するために、本発明の梱包装置は、電気掃除機を梱包箱内に収納
する梱包装置において、段ボール製の平板に設けられた４つの折り目を折り込むことで、中央付近に平板の基部を有し、基部の一方には第四の折り目にて略垂直上方にＬ字状に曲がった上方折り曲げ部と、他方には第一、第二および第三の折り目にて三角形形状に折り曲げた構造を有する緩衝体とを備え、前記三角形形状に折り曲げた構造は、前記段ボール製の平板に切り込み部と開口部を設け、前記開口部は、前記第一の折り目に掛かる位置に形成され、前記切り込み部は、前記第三の折り目と前記第四の折り目の間に形成され、前記段ボール製の平板を折り込み時に、前記切り込み部と前記開口部とを嵌合させることで構成し、前記基部の上にホースを収納する構造とし、前記緩衝体を被包装物である掃除機本体の上に設置したことを特徴とするものである。これにより、梱包箱に衝撃が加わったときに前記掃除機本体の上方への移動によるホースつぶれを防止することができる梱包装置を提供するものである。
【発明の効果】
【０００８】
本発明の電気掃除機の梱包装置は、梱包箱に衝撃が加わったときに掃除機本体の上方への移動によるホースつぶれを防止することができるものである。
【図面の簡単な説明】
【０００９】
【図１】本発明の実施形態１における梱包箱の斜視図
【図２】同、梱包箱の補強として用いる段ボール製の仕切り枠材と、被梱包物である製品（掃除機本体、ホース等）が梱包箱内に収納された状態を示した斜視図
【図３】同、梱包箱内に装備する段ボール製の緩衝体の展開図
【図４】同、緩衝体の組み立て完成状態の斜視図
【図５】同、梱包箱内に仕切り枠材の入った状態に対し、緩衝体を設置する位置を示した斜視図
【図６】同、緩衝体の基部の上にホースをセットした状態を示した斜視図
【図７】同、梱包箱内に仕切り枠材と被梱包物である製品（掃除機本体、ホース等）の入った状態において、緩衝体が所定の位置に配置された状態を示した斜視図
【発明を実施するための形態】
【００１０】
第１の発明は、電気掃除機を梱包箱内に収納する梱包装置において、段ボール製の平板を折り込むことで、中央付近に平板の基部を有し、基部の一方には略垂直上方にＬ字状に曲がった上方折り曲げ部と、他方には三角形形状に折り曲げた構造を有する緩衝体とを備え、前記基部の上にホースを収納する構造とし、前記緩衝体を被包装物である掃除機本体の上に設置したことを特徴とするものである。これにより、衝撃が加わったときに前記掃除機本体の上方への移動によるホースつぶれを防止することができる。
【００１１】
第２の発明は、特に、第１の発明の三角形形状に折り曲げた構造は、段ボール製の平板に切り込み部と開口部を設け、前記段ボール製の平板を折り込み時に、前記切り込み部と前記開口部とを嵌合させることで構成したことを特徴としたものである。
【００１２】
これにより、略長方形状のダンボールを簡単に折り曲げて本緩衝体を作成できるため、安価であり、組立て工数も削減できて、なおかつ、三角形形状であるため、強度的に強く、衝撃が加わったときに前記掃除機本体の上方への移動によるホースつぶれを防止することができる。
【００１３】
第３の発明は、特に、第１の発明のまたは第２の発明の三角形形状に折り曲げた構造の三角形の頂部の垂直方向高さは、基部の上に収納されたホースの上端部よりも高い位置に設定したことを特徴としたものである。
【００１４】
これにより、梱包箱を天面から落下させる等の衝撃が加わったときに、衝撃がホースより先に三角形の頂部に加わり、ホースを衝撃から保護し、ホースの変形を防止することができる。
【００１５】
第４の発明は、特に、第１の発明の第１〜第３のいずれか１つの発明の三角形形状に折り曲げた構造の三角形の頂部は、収納時に梱包箱の内天面に近接することを特徴としたものである。
【００１６】
これにより、緩衝体が梱包箱内で上下方向に移動するのを抑制でき、また、衝撃が加わったときに掃除機本体が上方へ移動するのもより小さく抑えることができ、掃除機本体の上方への移動によるホースつぶれを防止することができる。
【００１７】
第５の発明は、特に、第１の発明の第１〜第４のいずれか１つの発明において、梱包箱を補強する段ボール製の仕切り枠材と、前記仕切り枠材に設けた折り曲げ部とを備え、前記緩衝体は、前記折り曲げ部と前記仕切り枠材との間で、かつ被梱包物である掃除機本体の上に配置したことを特徴としたものである。
【００１８】
これにより、緩衝体は上述の様に配置されることで、左方向には折り曲げ部で移動を止められて位置規制され、また、右方向には仕切り枠材で移動を止められて位置規制されるため、振動や衝撃で緩衝体が梱包箱内で左右方向に移動するのを抑制でき、衝撃が加わっ
たときに掃除機本体が上方へ移動するのを確実に抑えることができ、掃除機本体の上方への移動によるホースつぶれを防止することができる。
【００１９】
（実施の形態１）
図１から図７に本発明の実施の形態を示し、以下、これらの図に基づき説明する。
図１に示すように、本願発明の梱包装置の外郭全体を形成するのは梱包箱１であり、図２に示すように、上方から被梱包物である掃除機本体２を収納した後、梱包箱１の天面開口部を覆って蓋をする内フラップ３と外フラップ４が備えられ、全体を段ボール紙から形成されている。
【００２０】
対向する１対の内フラップ３は、外フラップ４より先に内側に折り曲げられ、内側に折られた内フラップ３の上部を覆いかぶさるように、対向する１対の外フラップ４が内側に折り曲げられることで、梱包箱１の上部開口部が閉塞されて箱状に形成されるようになっている。
【００２１】
図２に示すように、この梱包箱１の内側には、掃除機本体２を仕切りかつ、梱包箱１を補強する段ボール製の仕切り枠材５と、被梱包物である掃除機本体２を包装する紙製の緩衝体（図示せず）からなる、包装支持部材が収納されている。
【００２２】
先ず、図３に本発明の緩衝体６の展開図を示す。この緩衝体６は略長方形形状をしており、４つの谷折り目がある。それぞれの折り目を第一の折り目７、第二の折り目８、第三の折り目９、第四の折り目１０とする。第一の折り目７の中心に穴１１、第三と第四の折り目の間に前記穴１１に嵌め込むための切り込み１２が形成されている。
【００２３】
次に、第一〜第三の折り目に基づいて谷折りを行い、図４に示すように三角形形状１３を作り、前記穴１１の中に前記切り込み１２を嵌め込み、三角形形状を固定する。さらに、第四の折り目１０で略垂直な上方への上方折り曲げ部１４を行い、組み立てた状態が図４に示されている。また、図６には、緩衝体６の基部１５にホース１６をセットした状態が示されている。
【００２４】
さらに、図７に示すように、組み立てた状態の緩衝体６は、被梱包物である掃除機本体２の上にセットし、前記梱包物の一方の略垂直な上方への上方折り曲げ部１４の外側側面は、梱包箱１の内側に収納された仕切り枠材５の外側壁面と隙間なく沿わせる様に合わせ、他方の三角形形状１３は被梱包物である掃除機本体２の上にくるように配置させる。
【００２５】
また、梱包箱１を補強する段ボール製の仕切り枠材５には、折り曲げ部１７が梱包箱１の内側面１８が露出する様に内側方向に曲げられて設けられている。
【００２６】
緩衝体６は、この折り曲げ部１７と段ボール製の仕切り枠材５との間で、かつ被梱包物である掃除機本体２の上に配置される。この様に配置されることで、緩衝体６は左方向には折り曲げ部１７で移動を止められて位置規制され、また、右方向には仕切り枠材５で移動を止められて位置規制される。
【００２７】
尚、図６に示すように、緩衝体６の一方は略垂直に上方への上方折り曲げ部１４と、他方は三角形形状１３の構造であり、上方折り曲げ部１４と三角形形状１３との間の部分が基部１５となり、この基部１５の上にホース１６を収納している。
【００２８】
これにより、緩衝体６は、左方向には折り曲げ部１７で移動を止められて位置規制され、また、右方向には仕切り枠材５で移動を止められて位置規制されるため、振動や衝撃で緩衝体６が梱包箱１内で左右方向に移動するのを抑制でき、衝撃が加わったときに掃除機
本体２が上方へ移動するのを確実に抑えることができ、掃除機本体２の上方への移動によるホース１６のつぶれを防止することができる。
【００２９】
また、図６に示すように、被梱包物である掃除機本体２の上にセットした緩衝体６の一方の辺に形成された三角形形状１３の頂点部１９はその基部１５の上にセットされるホース１６の外径と同等または外径よりも高い位置になるように形成されている。
【００３０】
これにより、梱包箱１を天面から落下させる等の衝撃が加わったときに、衝撃がホース１６より先に三角形形状１３の頂点部１９に加わり、ホース１６を衝撃から保護し、ホース１６の変形を防止することができる。
【００３１】
また、掃除機本体２の上にセットした緩衝体６の一方の辺に形成された三角形形状１３の頂点部１９は収納時に梱包箱１の天面に近接するようにしている。
【００３２】
これにより、緩衝体６が梱包箱１内で上下方向に移動するのを抑制でき、また、衝撃が加わったときに掃除機本体２が上方へ移動するのもより小さく抑えることができ、掃除機本体２の上方への移動によるホース１６つぶれをより確実に防止することができる。
【産業上の利用可能性】
【００３３】
以上のように、本発明は、電気掃除機を梱包箱内に収納する梱包装置において、段ボール製の平板を折り込むことで、中央付近に平板の基部を有し、基部の一方には略垂直上方にＬ字状に曲がった上方折り曲げ部と、他方には三角形形状に折り曲げた構造を有する緩衝体とを備え、前記基部の上にホースを収納する構造とし、前記緩衝体を被包装物である掃除機本体の上に設置したことにより、ホースつぶれを防止できる梱包装置を提供できるものである。
【符号の説明】
【００３４】
１  梱包箱
２  掃除機本体
３  内フラップ
４  外フラップ
５  仕切り枠材
６  緩衝体
７  第一の折り目
８  第二の折り目
９  第三の折り目
１０  第四の折り目
１１  穴
１２  切り込み
１３  三角形形状
１４  上方折り曲げ部
１５  基部
１６  ホース
１７  折り曲げ部
１８  内側面
１９  頂点部
【図１】
0006557865.tif 000002
【図２】
0006557865.tif 000003
【図３】
0006557865.tif 000004
【図４】
0006557865.tif 000005
【図５】
0006557865.tif 000006
【図６】
0006557865.tif 000007
【図７】
0006557865.tif 000008